(57)【特許請求の範囲】
【請求項１】
第１のＭＡＣアドレスが割り当てられた第１の無線ＰＯＳ端末と、
第１のサブネットエリア内に設けられ、かつ第１のサブネットエリア内に存在する無線ＰＯＳ端末と通信可能な第１のアクセスポイントと、
第１のアクセスポイントに設けられ、かつ第１のサブネットエリア内に存在する無線ＰＯＳ端末のＭＡＣアドレスと第１のサブネット情報を格納する第１の情報テーブルと、
第２のＭＡＣアドレスが割り当てられた第２の無線ＰＯＳ端末と、
第２のサブネットエリア内に設けられ、かつ第２のサブネットエリア内に存在する無線ＰＯＳ端末と通信可能な第２のアクセスポイントと、
第２のアクセスポイントに設けられ、かつ第２のサブネットエリア内に存在する無線ＰＯＳ端末のＭＡＣアドレスと第２のサブネット情報を格納する第２の情報テーブルと、
第１及び第２のアクセスポイントに接続された管理端末と、
管理端末に設けられ、第１及び第２の情報テーブルを共有する第３の情報テーブルとを有し、
前記第１及び第２のアクセスポイントは、前記第１あるいは第２の情報テーブルに格納されているＭＡＣアドレスが更新されたときに、前記第１あるいは第２の情報テーブルの内容を前記管理端末に送り、前記第３の情報テーブルの内容を更新し、
前記管理端末は、前記第３の情報テーブルの内容を参照して、リモート電源オンを行う無線ＰＯＳ端末と通信可能な状態にあるアクセスポイントを特定し、前記無線ＰＯＳ端末のリモート電源オン操作を、前記無線ＰＯＳ端末と通信可能な状態にあるアクセスポイントのみに指示して実行することを特徴とするＰＯＳシステム。
【請求項２】
前記管理端末は、前記第１のサブネットエリア内に設けられていることを特徴とする請求項１に記載のＰＯＳシステム。
【請求項３】
前記第１のサブネットエリア内には第１のハブが設けられており、前記第１のアクセスポイントと前記管理端末とは前記第１のハブを介して接続されていることを特徴とする請求項２に記載のＰＯＳシステム。
【請求項４】
前記第２のサブネットエリア内には第２のハブが設けられており、前記第１及び第２のサブネットエリアの間には通信データの変換を行うためのルータが設けられており、前記第２のアクセスポイントと前記管理端末とは前記第１のハブ、前記ルータ及び前記第２のハブを介して接続されていることを特徴とする請求項３に記載のＰＯＳシステム。
【請求項５】
初期状態では、前記第１の情報テーブルには前記第１のＭＡＣアドレスが格納されており、前記第２の情報テーブルには前記第２のＭＡＣアドレスが格納されており、
前記第１の無線ＰＯＳ端末が前記第２のサブネットエリア内に移動したときに、前記第１の情報テーブル内の前記第１のＭＡＣアドレスは削除されると共に、前記第２の情報テーブル内に前記第１のＭＡＣアドレスが追加されることを特徴とする請求項１乃至４のいずれか１項に記載のＰＯＳシステム。
【請求項６】
前記管理端末からの指示により、前記アクセスポイントがリモート電源オンパケットを生成して前記無線ＰＯＳ端末に送信することを特徴とする請求項１乃至５のいずれか１項に記載のＰＯＳシステム。
【発明の詳細な説明】
【技術分野】
【０００１】
本発明は、ＰＯＳシステムに関し、特に、リモート電源オン機能を有する無線ＬＡＮＰＯＳ端末を有するＰＯＳシステムに関する。
【背景技術】
【０００２】
従来は、無線ＬＡＮＰＯＳ端末の接続情報、例えば、どの無線ＬＡＮアクセスポイントにどの無線ＬＡＮＰＯＳ端末が接続されているかという情報を収集するためには、管理端末が各無線ＬＡＮアクセスポイントに定期的に問い合わせて情報収集する必要があった。
【０００３】
しかし、無線ＬＡＮＰＯＳ端末は、同一ネットワークＩＤを持つ無線ＬＡＮアクセスポイントに移動し接続することが可能なため、各無線ＬＡＮアクセスポイントへ接続された無線ＬＡＮＰＯＳ端末の情報は、管理端末から常に定期的に各無線ＬＡＮアクセスポイントに問い合わせを行い、情報を更新していく必要がある。
【０００４】
このような従来技術の第１の問題点は、情報更新が無い無線ＬＡＮアクセスポイントへの問い合わせは本来は無意味であっても、情報更新のために定期的に問い合わせざるを得ず、ネットワークの負荷を増加させる一因となることである。
【０００５】
また、第２の問題点は、無線ＬＡＮＰＯＳ端末本体の電源オン機能を有する無線ＬＡＮＰＯＳ端末に対して、管理端末からリモート電源オンパケットを送る際に、対象となる無線ＬＡＮＰＯＳ端末のサブネットがわからない場合は、想定される全サブネットにリモート電源オンパケットをブロードキャスト送信する必要があることである。第１の問題点と同様に、第２の問題点もネットワークの負荷を増加させる一因となる。
【０００６】
これに関連する技術として、例えば、特開２００４−８８４４０号公報（特許文献１）、特開２００７−８１５１９号公報（特許文献２）等がある。
【０００７】
特許文献１は、無線ＬＡＮ移動端末の場所をリアルタイムで管理するものである。一方、特許文献２は、無線ＬＡＮ移動端末の遠隔起動に適した無線ＬＡＮシステムに関するものである。
【０００８】
【特許文献１】特開２００４−８８４４０号公報
【特許文献２】特開２００７−８１５１９号公報
【発明の開示】
【発明が解決しようとする課題】
【０００９】
そこで、本発明は、上記従来技術の問題点に鑑みて成されたものであり、その目的は、異なるアクセスポイント間で無線ＰＯＳ端末が移動しても、無線ＰＯＳ端末が接続されているアクセスポイントを常に把握することが可能なＰＯＳシステムを提供することにある。
【課題を解決するための手段】
【００１０】
上記目的を達成するために、本発明に係るＰＯＳシステムは、
第１のサブネットエリア内に設けられ、かつ第１のＭＡＣアドレスが割り当てられた第１の無線ＰＯＳ端末と、
第１のサブネットエリア内に設けられ、かつ第１のサブネットエリア内に存在する無線ＰＯＳ端末と通信可能な第１のアクセスポイントと、
第１のアクセスポイントに設けられ、かつ第１のサブネットエリア内に存在する無線ＰＯＳ端末のＭＡＣアドレスを格納する第１の情報テーブルと、
第２のサブネットエリア内に設けられ、かつ第２のＭＡＣアドレスが割り当てられた第２の無線ＰＯＳ端末と、
第２のサブネットエリア内に設けられ、かつ第２のサブネットエリア内に存在する無線ＰＯＳ端末と通信可能な第２のアクセスポイントと、
第２のアクセスポイントに設けられ、かつ第２のサブネットエリア内に存在する無線ＰＯＳ端末のＭＡＣアドレスを格納する第２の情報テーブルと、
第１及び第２のアクセスポイントに接続された管理端末と、
管理端末に設けられ、第１及び第２の情報テーブルを共有する第３の情報テーブルとを有する。
【発明の効果】
【００１１】
本発明によれば、異なるアクセスポイント間で無線ＰＯＳ端末が移動しても、管理端末は無線ＰＯＳ端末が接続されているアクセスポイントを常に把握することができる。
【発明を実施するための最良の形態】
【００１２】
以下、図面を参照して、本発明の実施の形態について詳細に説明する。
【００１３】
まず、図１を参照して、本発明の実施の形態に係るＰＯＳシステムについて説明する。
【００１４】
ＰＯＳシステム１００は、サブネットエリア９とサブネットエリア１１とを有する。サブネットエリア９には、無線ＬＡＮ ＰＯＳ端末１と、無線ＬＡＮアクセスポイント３と、無線ＬＡＮ ＰＯＳ端末１と無線ＬＡＮアクセスポイント３との間で送受信を行う送受信電波２と、ハブ５と、無線ＬＡＮアクセスポイント３とハブ５とを接続する有線ＬＡＮケーブル４と、管理端末７と、ハブ５と管理端末７とを接続する有線ＬＡＮケーブル６とが設けられている。
【００１５】
一方、サブネットエリア１１には、無線ＬＡＮ ＰＯＳ端末１２と、無線ＬＡＮアクセスポイント１４と、無線ＬＡＮ ＰＯＳ端末１２と無線ＬＡＮアクセスポイント１４との間で送受信を行う送受信電波１３と、ハブ１６と、無線ＬＡＮアクセスポイント１４とハブ１６とを接続する有線ＬＡＮケーブル１５とを有する。
【００１６】
そして、サブネットエリア９とサブネットエリア１１との間には、サブネット変換を行うルータ１０が設けられている。ルータ１０は、有線ＬＡＮケーブル８を介してサブネットエリア９内のハブ５に接続されると共に、有線ＬＡＮケーブル１７を介してサブネットエリア１１内のハブ１６に接続されている。さらに、ハブ１６には、他のハブ（図示せず）に接続するための有線ＬＡＮケーブル１８が接続されている。
【００１７】
ここで、サブネットエリア９内の無線ＬＡＮＰＯＳ端末１及びサブネットエリア１１内の無線ＬＡＮＰＯＳ端末１２には、端末本体の電源オン機能（例えば、米国アドバンスト・マイクロ・ディバイシズ・インコーポレイテッドの登録商標であるマジックパケットを受信して端末本体の電源をオンさせる）を有する無線ＬＡＮ機能が内蔵もしくは実装されている。
【００１８】
また、サブネットエリア１１には、サブネットエリア９に存在していた無線ＬＡＮＰＯＳ端末１がサブネットエリア１１に移動してきた無線ＬＡＮＰＯＳ端末１９が存在する。無線ＬＡＮＰＯＳ端末１９と無線ＬＡＮアクセスポイント１４との間では、送受信電波２０を介して送受信が行われる。
【００１９】
図２は、無線ＬＡＮアクセスポイント３，１４と管理端末７にそれぞれ設けられた情報テーブルの内容を示す。
【００２０】
無線ＬＡＮＰＯＳ端末１には、ＭＡＣアドレス２１が割り当てられており、無線ＬＡＮＰＯＳ端末１２には、ＭＡＣアドレス２４が割り当てられている。
【００２１】
無線ＬＡＮアクセスポイント３には、第１の情報テーブル２２が設けられている。第１の情報テーブル２２には、第１のサブネットエリア９内に存在する無線ＬＡＮＰＯＳ端末のＭＡＣアドレスが、ＩＰアドレス及びサブネットマスク（第１のサブネット情報）と共に格納される。この例では、無線ＬＡＮＰＯＳ端末１のＭＡＣアドレス２１が格納されている。
【００２２】
また、無線ＬＡＮアクセスポイント１４には、第２の情報テーブル２５が設けられている。第２の情報テーブル２５には、第２のサブネットエリア１１内に存在する無線ＬＡＮＰＯＳ端末のＭＡＣアドレスが、ＩＰアドレス及びサブネットマスク（第２のサブネット情報）と共に格納される。この例では、無線ＬＡＮＰＯＳ端末１２のＭＡＣアドレス２４が格納されている。
【００２３】
さらに、管理端末７には、第１の情報テーブル２２及び第２の情報テーブル２５を共有する第３の情報テーブル２５が設けられ常時更新（共有状態）されている。
【００２４】
次に、図１〜図５を参照して、本発明の動作について詳細に説明する。
【００２５】
最初に、図１において、サブネットエリア９内での無線ＬＡＮＰＯＳ端末１から管理端末７への通信データの上り方向の流れ及び下り方向の流れの動作について説明する。
【００２６】
まず、通信データの上り方向の流れは、無線ＬＡＮＰＯＳ端末１から、無線ＬＡＮアクセスポイント３へ送受信電波２にて通信データが送られ、その通信データは無線ＬＡＮアクセスポイント３にて有線ＬＡＮケーブル４を通してハブ５に送られる。ハブ５に送られてきた通信データは、有線ＬＡＮケーブル６を介して、管理端末７に送られる。
【００２７】
一方、通信データの下り方向の流れは、前述の説明の逆となり、管理端末７から通信データは有線ＬＡＮケーブル６を介してハブ５に送られて、その送られてきた通信データは有線ＬＡＮケーブル４を介して無線ＬＡＮアクセスポイント３に送られる。無線ＬＡＮアクセスポイント３に送られてきた通信データは、送受信電波２で無線ＬＡＮＰＯＳ端末１に送られる。
【００２８】
次に、サブネットエリア１１内での無線ＬＡＮＰＯＳ端末１２からサブネットエリア９内の管理端末７への通信データの上り方向の流れ及びサブネットエリア９内の管理端末７からサブネットエリア１１内の無線ＬＡＮＰＯＳ端末１２への通信データの下り方向の流れの動作について説明する。
【００２９】
まず、サブネットエリア１１内の無線ＬＡＮＰＯＳ端末１２からサブネットエリア９内の管理端末７への通信データの上り方向の流れは、無線ＬＡＮＰＯＳ端末１２から無線ＬＡＮアクセスポイント１４へ送受信電波１３にて通信データが送られ、その通信データは無線ＬＡＮアクセスポイント１４にて有線ＬＡＮケーブル１５を介して、ハブ１６に送られる。
【００３０】
ハブ１６に送られてきた通信データは、有線ＬＡＮケーブル１７を介してルータ１０に送られる。ルータ１０は送られてきた通信データをサブネットエリア９用の通信データに変換し、有線ＬＡＮケーブル８を介してハブ５へ送られる。送られてきた通信データは有線ＬＡＮケーブル６を介して管理端末７へ送られる。
【００３１】
また、サブネットエリア９内の管理端末７からサブネットエリア１１内の無線ＬＡＮＰＯＳ端末１２への通信データの下り方向の流れは、前述の説明の逆となり、管理端末７から通信データは有線ＬＡＮケーブル６を介してハブ５に送られ、その送られてきた通信データは有線ＬＡＮケーブル８を介してルータ１０に送られる。
【００３２】
ルータ１０は送られてきた通信データをサブネットエリア１１用の通信データに変換し、有線ＬＡＮケーブル１７を介してハブ１６へ送る。ハブ１６に送られてきた通信データは有線ＬＡＮケーブル１５を介して無線ＬＡＮアクセスポイント１４に送られる。無線ＬＡＮアクセスポイント１４に送られてきた通信データは送受信電波１３で無線ＬＡＮＰＯＳ端末１２に送られる。
【００３３】
次に、サブネットエリア１１内での無線ＬＡＮＰＯＳ端末１９からサブネットエリア９内の管理端末７への通信データの上り方向の流れ及びサブネットエリア９内の管理端末７からサブネットエリア１１内の無線ＬＡＮＰＯＳ端末１９への通信データの下り方向の流れの動作について説明する。
【００３４】
まず、サブネットエリア１１内の無線ＬＡＮＰＯＳ端末１９からサブネットエリア９内の管理端末７への通信データの上り方向の流れは、無線ＬＡＮＰＯＳ端末１９から無線ＬＡＮアクセスポイント１４へ送受信電波２０にて通信データが送られ、その通信データは無線ＬＡＮアクセスポイント１４にて有線ＬＡＮケーブル１５を介してハブ１６に送られる。
【００３５】
ハブ１６に送られてきた通信データは、有線ＬＡＮケーブル１７を介してルータ１０に送られる。ルータ１０は送られてきた通信データは、サブネットエリア９用の通信データに変換され、有線ＬＡＮケーブル８を介してハブ５へ送られる。送られてきた通信データは有線ＬＡＮケーブル６を介して管理端末７へ送られる。
【００３６】
また、サブネットエリア９内の管理端末７からサブネットエリア１１内の無線ＬＡＮＰＯＳ端末１９への通信データの下り方向の流れは、前述の説明の逆となり、管理端末７から通信データは有線ＬＡＮケーブル６を介してハブ５に送られて、その送られてきた通信データは有線ＬＡＮケーブル８を介してルータ１０に送られる。
【００３７】
ルータ１０に送られてきた通信データは、サブネットエリア１１用の通信データに変換されて有線ＬＡＮケーブル１７を介してハブ１６へ送られる。ハブ１６に送られてきた通信データは有線ＬＡＮケーブル１５を介して無線ＬＡＮアクセスポイント１４に送られる。無線ＬＡＮアクセスポイント１４に送られてきた通信データは送受信電波２０で無線ＬＡＮＰＯＳ端末１９に送られる。
【００３８】
次に、図２を参照して、無線ＬＡＮアクセスポイント３の第１の情報テーブル２２及び管理端末７の第３の情報テーブル２３にデータが格納される動作について説明する。
【００３９】
無線ＬＡＮアクセスポイント３が無線ＬＡＮＰＯＳ端末１に接続認証許可を与える際に、無線ＬＡＮアクセスポイント３は無線ＬＡＮＰＯＳ端末１のＭＡＣアドレス２１を第１の情報テーブル２２に無線ＬＡＮアクセスポイント３のＩＰアドレス及びサブネットマスクと紐付けした状態で格納する。
【００４０】
次に、格納した第１の情報テーブル２２を管理端末７へ転送し、第３の情報テーブル２３に格納する。これにより、無線ＬＡＮアクセスポイント３の第１の情報テーブル２２と管理端末７の第３の情報テーブル２３は常時更新（例えば、５分間隔で更新する）されることになる。すなわち、共有状態となる。
【００４１】
同様に、図２を参照して、無線ＬＡＮアクセスポイント１４の第２の情報テーブル２５及び管理端末７の第３の情報テーブル２３にデータが格納される動作について説明する。
【００４２】
無線ＬＡＮアクセスポイント１４が無線ＬＡＮＰＯＳ端末１２に接続認証許可を与える際に、無線ＬＡＮアクセスポイント１４は無線ＬＡＮＰＯＳ端末１２のＭＡＣアドレス２４を第２の情報テーブル２５に無線ＬＡＮアクセスポイント１４のＩＰアドレス及びサブネットマスクと紐付けした状態で格納する。
【００４３】
次に、格納した第２の情報テーブル２５を管理端末７へ転送し、第３の情報テーブル２３に格納する。これにより、無線ＬＡＮアクセスポイント１４の第２の情報テーブル２５と管理端末の第３の情報テーブル２３は常時更新（例えば、５分間隔で更新する）されることになる。すなわち、共有状態となる。
【００４４】
上述のように、管理端末７の第３の情報テーブル２３には、常時更新された第１の情報テーブル２２と第２の情報テーブル２５とが格納されることになる。
【００４５】
図３のフローチャートを参照して、無線ＬＡＮアクセスポイント３が無線ＬＡＮＰＯＳ端末１に接続認証許可を与え、無線ＬＡＮアクセスポイント３の第１の情報テーブル２２と管理端末７の第３の情報テーブル２３にデータが格納される一連の流れを説明する。
【００４６】
最初に、無線ＬＡＮＰＯＳ端末１が無線ＬＡＮアクセスポイント３に対し、接続認証要求を送信する（ステップ３０１）。
【００４７】
次に、無線ＬＡＮアクセスポイント３が無線ＬＡＮＰＯＳ端末１に対し、接続認証許可を返信する（ステップ３０２）。
【００４８】
次に、無線ＬＡＮアクセスポイント３の第１の情報テーブル２２に対し、ＭＡＣアドレス２１を格納して第１の情報テーブル２２を更新する（ステップ３０３）。
【００４９】
次に、無線ＬＡＮアクセスポイント３が管理端末７に対し、第１の情報テーブル２２を転送して第３の情報テーブル２３に共有格納し、第３の情報テーブル２３を更新する（ステップ３０４）。
【００５０】
次に、無線ＬＡＮアクセスポイント３は無線ＬＡＮＰＯＳ端末１が一定期間（仮に５分とする）無通信状態かどうかを監視する（ステップ３０５）。この結果、一定期間の間に通信があった場合には、現状が保たれる。一方、一定期間の間に無通信状態が確認されると、ステップ３０６以降の処理に入る。
【００５１】
無線ＬＡＮアクセスポイント３が無線ＬＡＮＰＯＳ端末１に対し切断要求を送信する（ステップ３０６）。
【００５２】
次に、無線ＬＡＮアクセスポイント３は第１の情報テーブル２２に格納されているＭＡＣアドレス２１を削除して、第１の情報テーブル２２を更新する（ステップ３０７）。
【００５３】
次に、無線ＬＡＮアクセスポイント３は管理端末７の第３の情報テーブル２３に格納されているＭＡＣアドレス２１の削除指示を行い、第３の情報テーブル２３を更新する（ステップ３０８）。
【００５４】
次に、無線ＬＡＮＰＯＳ端末１から無線ＬＡＮアクセスポイント３に対し、再接続認証要求があるか否かが判定される（ステップ３０９）。この結果、再接続認証要求があれば、ステップ３０２の処理に戻る。再接続認証要求がなければ、図４の処理へ進む。
【００５５】
図４のフローチャートを参照して、無線ＬＡＮＰＯＳ端末１がサブネットエリア９からサブネットエリア１１に移動した場合における、無線ＬＡＮアクセスポイント１４の第２の情報テーブル２５と管理端末７の第３の情報テーブル２３に通信データが格納される一連の流れを説明する。
【００５６】
前提として、サブネットエリア９で無線ＬＡＮアクセスポイント３と接続されていた無線ＬＡＮＰＯＳ端末１がサブネットエリア１１に移動してきて、無線ＬＡＮアクセスポイント１４に接続された無線ＬＡＮＰＯＳ端末１を無線ＬＡＮＰＯＳ端末１９と定義する。
【００５７】
最初に、無線ＬＡＮＰＯＳ端末１９が無線ＬＡＮアクセスポイント１４に対し、接続認証要求を送信する（ステップ４０１）。
【００５８】
次に、無線ＬＡＮアクセスポイント１４が無線ＬＡＮＰＯＳ端末１９に対し、接続認証許可を返信する（ステップ４０２）。
【００５９】
次に、無線ＬＡＮＰＯＳ端末１９がＭＡＣアドレス２１を無線ＬＡＮアクセスポイント１４に送信して第２の情報テーブル２５に格納して第２の情報テーブル２５を更新する（ステップ４０３）。
【００６０】
次に、無線ＬＡＮアクセスポイント１４が管理端末７に対し、第１の情報テーブル２５を転送し、第３の情報テーブル２３に共有格納して、第３の情報テーブル２３を更新する（ステップ４０４）。
【００６１】
次に、図５のフローチャートを参照して、管理端末７が、無線ＬＡＮＰＯＳ端末１９が接続されている無線ＬＡＮアクセスポイント１４を検出すると共にサブネットエリア１１を検出し、無線ＬＡＮＰＯＳ端末１９をリモート電源オンさせるまでの一連の流れを説明する。
【００６２】
前提として、無線ＬＡＮＰＯＳ端末１９は無線ＬＡＮアクセスポイント１４に接続（通信可能状態）された状態であり、かつ端末本体の電源がオフで、無線ＬＡＮ機能のみオンとなっているものとする。
【００６３】
最初に、管理端末７がリモートで電源オンさせたい無線ＬＡＮＰＯＳ端末１９を第３の情報テーブル２３による無線ＬＡＮＰＯＳ端末の接続リストより選択する（ステップ５０１）。
【００６４】
次に、管理端末Ｓ７にて、無線ＬＡＮＰＯＳ端末１９に接続（通信可能状態）された無線ＬＡＮアクセスポイント１４に無線ＬＡＮＰＯＳ端末１９のリモート電源オン要求を送信する（ステップ５０２）。
【００６５】
次に、無線ＬＡＮアクセスポイント１４にて、リモート電源オンパケット（例えば、米国アドバンスト・マイクロ・ディバイシズ・インコーポレイテッドの登録商標であるマジックパケット）を無線ＬＡＮＰＯＳ端末１９に送信する（ステップ５０３）。
【００６６】
次に、無線ＬＡＮＰＯＳ端末１９の無線ＬＡＮ機能はこのリモート電源オンパケットを受信することで、無線ＬＡＮＰＯＳ端末１９本体の電源オン機能を作動させ、無線ＬＡＮＰＯＳ端末１９は電源がオンとなる（ステップ５０４）。
【００６７】
上記本発明の実施の形態は以下の効果を有する。
【００６８】
第一に、異なる無線ＬＡＮアクセスポイント間で無線ＬＡＮＰＯＳ端末が移動しても、管理端末は無線ＬＡＮＰＯＳ端末が接続されている無線ＬＡＮアクセスポイントを常に把握することができる。
【００６９】
第二に、無線ＬＡＮＰＯＳ端末が異なるサブネットエリアに属する無線ＬＡＮアクセスポイントに移動した場合であっても、管理端末は無線ＬＡＮＰＯＳ端末が接続されている無線ＬＡＮアクセスポイントを常に把握することができる。
【００７０】
第三に、管理端末が、各々の無線ＬＡＮＰＯＳ端末がどの無線ＬＡＮアクセスポイントに接続されているかという情報を各無線ＬＡＮアクセスポイントと常に共有でき、かつ任意の無線ＬＡＮＰＯＳ端末がどの無線ＬＡＮアクセスポイントに接続しているかを知ることにより、その無線ＬＡＮＰＯＳ端末のおおよそのエリアを検出することができる。
【００７１】
第四に、異なるサブネットエリアに無線ＬＡＮＰＯＳ端末が移動しても、管理端末はリモート電源オンパケットを対象となる無線ＬＡＮアクセスポイントからのみブロードキャストし、無線ＬＡＮＰＯＳ端末に送信できる。
【００７２】
このように、本発明の実施の形態では、異なる無線ＬＡＮアクセスポイント間で無線ＬＡＮＰＯＳ端末が移動しても、管理端末は無線ＬＡＮＰＯＳ端末が接続されている無線ＬＡＮアクセスポイントを常に把握する。
【００７３】
また、無線ＬＡＮＰＯＳ端末が異なるサブネットエリアに属する無線ＬＡＮアクセスポイントに移動した場合であっても、管理端末は無線ＬＡＮＰＯＳ端末が接続されている無線ＬＡＮアクセスポイントを常に把握する。
【００７４】
以上により、管理端末は無線ＬＡＮＰＯＳ端末がどの無線ＬＡＮアクセスポイントに接続されているかで、対象の無線ＬＡＮＰＯＳ端末のおおよそのエリアを常に検出することができる。さらに、異なるサブネットエリアに無線ＬＡＮＰＯＳ端末が移動した場合も、容易に管理端末がリモート電源オンパケットを、対象となる無線ＬＡＮアクセスポイントからのみブロードキャストし無線ＬＡＮＰＯＳ端末に送信できる。
【００７５】
以上、本発明者によってなされた発明を実施例に基づき具体的に説明したが、本発明は上記実施例に限定されるものではなく、その要旨を逸脱しない範囲で種々変更可能であることは言うまでもない。
【００７６】
例えば、図１に示す無線ＬＡＮＰＯＳ端末１，１２，１９を無線ＬＡＮ対応ＩＰ電話機に置き換えることも可能である。
【００７７】
この場合、従来の携帯電話機でいう基地局が無線ＬＡＮアクセスポイント３，１４、交換機が管理端末７に相当することになる。管理端末は常にＩＰ電話機のエリア（接続している無線ＬＡＮアクセスポイント）を把握できるため、ＩＰ電話機が異なるエリアに移動しても、管理端末から電話の呼び出し動作において対象となるＩＰ電話機に送信することが容易となる。
【００７８】
また、ＩＰ電話機が省電力機能を有する場合、管理端末はリモート電源オンパケットを対象となる無線ＬＡＮアクセスポイントからブロードキャストしＩＰ電話機に送信しＩＰ電話機は省電力機能を解除し、呼び出しの待ち受け状態に復帰させることができる。
【００７９】
この実施の形態では、無線ＬＡＮ対応ＩＰ電話機のエリア検出を可能にするリモートでＩＰ電話機の省電力機能を解除可能とするという新たな効果を有する。
【産業上の利用可能性】
【００８０】
本発明は、無線ＬＡＮシステムを構築し、情報システム部門のようなシステム管理者が無線ＬＡＮ端末の情報を把握する用途に適用できる。また、無線ＬＡＮ端末がリモート電源オン機能を有する場合、リモートで対象無線ＬＡＮ端末の電源を立ち上げ、ソフトウェアアップデート等の端末のメンテナンスをリモートで行う用途に適用できる。
【図面の簡単な説明】
【００８１】
【図１】本発明の実施の形態に係るＰＯＳシステムの全体構成を示す図である。
【図２】無線ＬＡＮアクセスポイントと管理端末にそれぞれ設けられた情報テーブルの内容を示す図である。
【図３】無線ＬＡＮアクセスポイントと管理端末の情報テーブル更新時の基本動作を示すフローチャートである。
【図４】無線ＬＡＮＰＯＳ端末が異なるサブネットエリアへ移動して、無線ＬＡＮアクセスポイントと管理端末の情報テーブルが更新される場合の動作を示すフローチャートである。
【図５】無線ＬＡＮＰＯＳ端末がリモート電源オンする際の動作を示すフローチャートである。
【符号の説明】
【００８２】
１    無線ＬＡＮ ＰＯＳ端末
２    送受信電波
３    無線ＬＡＮアクセスポイント
４    有線ＬＡＮケーブル
５    ハブ
６    有線ＬＡＮケーブル
７    管理端末
８    有線ＬＡＮケーブル
９    サブネットエリア
１０  ルータ
１１  サブネットエリア
１２  無線ＬＡＮ ＰＯＳ端末
１３  送受信電波
１４  無線ＬＡＮアクセスポイント
１５  有線ＬＡＮケーブル
１６  ハブ
１７  有線ＬＡＮケーブル
１８  有線ＬＡＮケーブル
１９  無線ＬＡＮ ＰＯＳ端末
２０  送受信電波
２１  ＭＡＣアドレス
２２  第１の情報テーブル
２３  第３の情報テーブル
２４  ＭＡＣアドレス
２５  第２の情報テーブル
【図１】
0004953136.tif 000002
【図２】
0004953136.tif 000003
【図３】
0004953136.tif 000004
【図４】
0004953136.tif 000005
【図５】
0004953136.tif 000006